(57)【要約】【課題】  光拡散シートの突片部が枠フレームの辺部の開口から抜け出てその光拡散シートが撓んだり位置ずれしたりするおそれを無くすることによって、液晶パネルの輝度むらを補正する作用が損なわれないようにする。【解決手段】  液晶パネル１と、枠フレーム２と、線状光源４と、光拡散部材７とを備える。光拡散部材７を平板状の光拡散プレート７１とこの光拡散プレートに重なり合って平板状に保形される光拡散シート７２とに分かれている。光拡散シート７２の突片部７５を枠フレーム３の辺部３１に具備されたスリット状の開口３２に差し込むことによってその光拡散シート７２を枠フレーム２に対して位置決めする。突片部７５に、開口縁部に係合する係合片７６を追加する。【選択図】        図８
2007057583.tif 000002
【特許請求の範囲】
【請求項１】
液晶パネルと、この液晶パネルの外縁部が重なり状に取り付けられた矩形の枠フレームと、この枠フレームによって囲まれた空間に配備されたバックライト用の線状光源と、上記枠フレームに装着されかつ上記液晶パネルとの間に隙間空間を保持してその液晶パネルと上記線状光源との間に配備された矩形の光拡散部材とを備え、
その光拡散部材が、平板状の光拡散プレートとこの光拡散プレートに重なり合って平板状に保形された状態で上記液晶パネルに対峙した曲り変形可能な弾性を有する光拡散シートとに分かれていて、その光拡散シートの上下の端縁に具備された突片部が、上記枠フレームの相対する２つの辺部のそれぞれに具備されたスリット状の開口に各別に差し込まれることによってその光拡散シートが枠フレームに対して位置決めされている液晶表示装置において、
上記枠フレームの相対する２つの辺部のそれぞれの複数箇所に上記開口が具備されていると共に、それら複数箇所に具備された開口のそれぞれ対応して上記光拡散シートの上下の端縁のそれぞれの複数箇所に上記突片部が具備され、
それぞれの上記突片部に、その突片部の左右両側に張り出して上記辺部の開口形成箇所でその開口縁部に係合することにより当該突片部が上記開口から抜け出ることを阻止する係合片が追加して一体に連設されていると共に、上記光拡散プレートが、上記開口に差し込まれて上記光拡散シートの上記突片部と重なり合った突片部を備え、
上記開口はその左右の側端部がそれらの中間部の口縁に対して傾斜した口縁を有する左右対称形状に形成されていると共に、その開口の中間部の口縁の長さと側端部の傾斜した口縁の長さとを合わせた長さが上記光拡散シートの係合片の横幅よりも短くない長さに定められ、かつ、上記辺部の開口形成箇所の開口縁部に、上記光拡散シートの突片部に対する曲り姿勢で上記開口の左右の側端部に差し込まれた後に初期姿勢に弾性復帰して当該開口縁部に係合した上記係合片を当該開口縁部との係合箇所に位置決めする位置決め突起が備わっていることを特徴とする液晶表示装置。
【請求項２】
液晶パネルと、この液晶パネルの外縁部が重なり状に取り付けられた矩形の枠フレームと、この枠フレームによって囲まれた空間に配備されたバックライト用の線状光源と、上記枠フレームに装着されかつ上記液晶パネルとの間に隙間空間を保持してその液晶パネルと上記線状光源との間に配備された矩形の光拡散部材とを備え、
その光拡散部材が、平板状の光拡散プレートとこの光拡散プレートに重なり合って平板状に保形された状態で上記液晶パネルに対峙した曲り変形可能な弾性を有する光拡散シートとに分かれていて、その光拡散シートの上下の端縁に具備された突片部が、上記枠フレームの相対する２つの辺部のそれぞれに具備されたスリット状の開口に各別に差し込まれることによってその光拡散シートが枠フレームに対して位置決めされている液晶表示装置において、
上記突片部に、上記辺部の開口形成箇所でその開口縁部に係合して当該突片部が上記開口から抜け出ることを阻止する係合片を追加して一体に連設してあることを特徴とする液晶表示装置。
【請求項３】
上記係合片が上記突片部の左右両側に張り出して上記開口形成箇所の開口縁部に係合している請求項２に記載した液晶表示装置。
【請求項４】
上記光拡散プレートが、上記開口に差し込まれて上記光拡散シートの上記突片部と重なり合っている突片部を有する請求項２又は請求項３に記載した液晶表示装置。
【請求項５】
上記開口はその左右の側端部がそれらの中間部の口縁に対して傾斜した口縁を有する形状に形成されていると共に、その開口の上記中間部の口縁の長さと側端部の傾斜した口縁の長さとを合わせた長さが上記光拡散シートの係合片の横幅よりも短くない長さに定められている請求項３又は請求項４に記載した液晶表示装置。
【請求項６】
上記辺部の開口形成箇所の開口縁部に、上記光拡散シートの突片部に対する曲り姿勢で上記開口の左右の側端部に差し込まれた後に初期姿勢に弾性復帰して当該開口縁部に係合した上記係合片を当該開口縁部との係合箇所に位置決めする位置決め突起が備わっている請求項５に記載した液晶表示装置。
【発明の詳細な説明】
【技術分野】
【０００１】
本発明は、液晶表示装置、特に、バックライト方式を採用した液晶表示装置に採用されている光拡散シートの位置ずれに伴う輝度むらを防ぐ対策を講じた液晶表示装置に関する。
【背景技術】
【０００２】
従来、光学シートの位置ずれや撓みなどに起因する表示不良を低減する対策を講じた液晶表示装置が知られていた（たとえば、特許文献１参照）。この特許文献１によって提案されている技術は、光学シートに形成した長孔に、フレームに設けた位置決め突起を挿通させた上で、その光学シートの長孔形成箇所を保持板と上記フレームとによって挾み付けておくというものである。
【０００３】
また、携帯型液晶テレビジョン受像機などの小型の液晶表示装置のプリズムシートを中枠に取り付けるための技術として、プリズムシートの左右側縁部の中央に形成した係合片部を中枠の係合凹部に挿入係合させるというものが公知である（たとえば、特許文献２参照）。さらに、サイドライト型面光源装置又は液晶表示装置については、光源４０に対応する導光部材や反射シートの取付構造などについての研究や、拡散シートを破損せずに光源を取り付けるようにするための研究が行われている（（たとえば、特許文献３、特許文献４参照）。
【０００４】
ところで、図１０には、テレビジョン受像機に用いられる液晶表示装置の概略的な基本構成を分解斜視図で示してある。同図の液晶表示装置は、液晶パネル１と、この液晶パネル１の外周に嵌合される矩形枠形のベゼル２と、このベゼル２との間で液晶パネル１を挟持するリフレクタフレームと呼ばれる枠フレーム３と、この枠フレーム３によって囲まれた空間に配備されるバックライト用の線状光源４と、この線状光源４の光を液晶パネル１に向けて反射させる反射シート５と、枠フレーム３との間で反射シート３を挟持する背面板６とを備えているほか、光拡散プレート７１及び光拡散シート７２、クッションスペーサ７３、中継基板８１，８２などを備えている。そして、ベゼル２が枠フレーム３に止めビス２１を用いてビス止めされる。また、中継基板８１，８２が止めビス６１を用いて背面板６の側面にビス止めされる。
【０００５】
この液晶表示装置において、光拡散プレート７１及び光拡散シート７２は、線状光源４の光を周囲に一様に拡散して液晶パネル１の輝度むらを補正することに役立っている。すなわち、光拡散プレート７１は線状光源４の光を液晶パネル１の面に沿う方向に導く導光部材としての役割を果たしているのに対し、光拡散シート７２は、光拡散プレート７１によって液晶パネル１の面に沿う方向に導かれた光を散乱させることに主に役立っている。また、性状的に見ると、光拡散プレート７１は平板状に形成された厚手の樹脂プレートが用いられて容易に屈曲しない強度を有しているのに対し、光拡散シート７２は、光拡散プレート７１に重なり合うことによってはじめて平板状に保形される程度の曲り変形可能な薄手の樹脂シートが用いられている。
【０００６】
一方、図１１に示したように、矩形に形成された上記光拡散シート７２の上下の端縁には台形状の突片部７５が形成されている。また、図１３に示したように、光拡散プレート７１の上側端縁にも台形状の突片部７９が形成されている。そして、光拡散プレート７１が、その突片部７９を矩形の枠フレーム３の上側の辺部３１（図１０参照）に形成されているスリット状の開口３２に差し込むことなどによって枠フレーム３に装着されているのに対し、光拡散シート７２は、光拡散プレート７１に重ね合わされた状態で、図１２又は図１３のように上側端縁の突片部７５を上記開口３２に差し込んで光拡散プレート７１の突片部７９に重ね合わせ、かつ、図示していないけれども下側端縁の突片部７５を枠フレーム３の下側の辺部３１（図１０参照）に形成されているスリット状の開口に差し込むことによって枠フレーム３に対して位置決めされている。
【特許文献１】特開２００１−９１９４７号公報
【特許文献２】特開平１０−７８５７９号公報
【特許文献３】特開２００１−５２５２０号公報
【特許文献４】特開平１０−１７７１７１号公報
【発明の開示】
【発明が解決しようとする課題】
【０００７】
図１０及び図１１〜図１３を参照して説明した液晶表示装置では、光拡散シート７２は、光拡散作用を高めることなどを意図して、液晶パネル１との間に数ｍｍ程度の隙間空間を保持してその液晶パネル１に対峙されている。しかも、枠フレーム３の辺部３１に開口３２に差し込まれている光拡散シート７２の突片部７５が台形状に形成されていることに加えて、その光拡散シート７２は、曲り変形可能な樹脂シートによって形成されていて、光拡散プレート７１に重なり合うことによって平板状に保形されているに過ぎない。そのために、突片部７５が開口３２から抜け出て光拡散シート７２が波打ち状に撓んだり枠フレーム３に対して位置ずれしたりするおそれがあり、仮にそのような撓みや位置ずれが生じると、光拡散シート７２による光拡散作用にむらが発生して液晶パネル１の輝度むらを補正する作用が損なわれてしまうという点が指摘された。
【０００８】
この点に関し、特許文献１によって示されている技術を転用することにより、光拡散シート７２に形成した長孔に枠フレーム３に設けた突起に挿通させるという対策を講じることが考えられるけれども、そのような対策では、枠フレーム３の形状が突起を設けることによって変更されてしまうために、枠フレーム成形用の金型の変更が不可欠になってその製作コストが高くつくだけでなく、光拡散シート７２の長孔に枠フレーム３の突起を挿通させるのに手間がかかるという製作工程上の不利を伴うことになる。
【０００９】
本発明は以上の状況の下でなされたものであり、枠フレームの形状に変更を加えることなく、光拡散シートの構成を変更するだけのきわめて簡単な対策を講じるだけで、その突片部が枠フレームの辺部の開口から抜け出て光拡散シートが波打ち状に撓んだり位置ずれしたりするおそれをなくすることのできる液晶表示装置を提供することを目的とする。
【課題を解決するための手段】
【００１０】
本発明に係る液晶表示装置は、液晶パネルと、この液晶パネルの外縁部が重なり状に取り付けられた矩形の枠フレームと、この枠フレームによって囲まれた空間に配備されたバックライト用の線状光源と、上記枠フレームに装着されかつ上記液晶パネルとの間に隙間空間を保持してその液晶パネルと上記線状光源との間に配備された矩形の光拡散部材とを備え、その光拡散部材が、平板状の光拡散プレートとこの光拡散プレートに重なり合って平板状に保形された状態で上記液晶パネルに対峙した曲り変形可能な弾性を有する光拡散シートとに分かれていて、その光拡散シートの上下の端縁に具備された突片部が、上記枠フレームの相対する２つの辺部のそれぞれに具備されたスリット状の開口に各別に差し込まれることによってその光拡散シートが枠フレームに対して位置決めされている。そして、上記突片部に、上記辺部の開口形成箇所でその開口縁部に係合して当該突片部が上記開口から抜け出ることを阻止する係合片を追加して一体に連設してある。
【００１１】
この構成であると、突片部に追加して一体に連設された係合片が枠フレームの辺部の開口形成箇所で開口縁部に係合して当該突片部が上記開口から抜け出ることを阻止するので、突片部が開口から抜け出て光拡散シートが波打ち状に撓んだり位置ずれしたりすることがなくなり、光拡散シートによる光拡散作用が確実に発揮されるようになる。
【００１２】
本発明では、上記係合片が上記突片部の左右両側に張り出して上記開口形成箇所の開口縁部に係合していることが望ましく、これによれば、突片部がねじれて開口から抜け出るという事態が防止されて係合片による抜止め作用の安定性が向上する。
【００１３】
本発明では、上記光拡散プレートが、上記開口に差し込まれて上記光拡散シートの上記突片部と重なり合っていることが望ましい。これによれば、光拡散シートの突片部が光拡散プレートの突片により平板状に保形されるために、係合片による上記した抜止め作用の安定性がいっそう向上する。
【００１４】
本発明において、上記開口はその左右の側端部がそれらの中間部の口縁に対して傾斜した口縁を有する形状に形成されていると共に、その開口の上記中間部の口縁の長さと側端部の傾斜した口縁の長さとを合わせた長さが上記光拡散シートの係合片の横幅よりも短くない長さに定められている、という構成を採用することが可能である。この構成であれば、光拡散シートの突片部を枠フレームの辺部の開口に差し込むときに、係合片が折れ目を生じない程度に無理なく曲がってその開口に差し込まれるようになり、そのことが上記した係合片による抜止め作用の安定性を向上させることに役立つ。
【００１５】
本発明では、上記辺部の開口形成箇所の開口縁部に、上記光拡散シートの突片部に対する曲り姿勢で上記開口の左右の側端部に差し込まれた後に初期姿勢に弾性復帰して当該開口縁部に係合した上記係合片を当該開口縁部との係合箇所に位置決めする位置決め突起が備わっていることが望ましい。これによれば、枠フレームの辺部の開口形成箇所で開口縁部に係合した係合片が、開口の側端部から抜け出るという事態が起こりにくくなることによって、上記した係合片による抜止め作用の安定性が向上する。
【００１６】
本発明に係る液晶表示装置は、液晶パネルと、この液晶パネルの外縁部が重なり状に取り付けられた矩形の枠フレームと、この枠フレームによって囲まれた空間に配備されたバックライト用の線状光源と、上記枠フレームに装着されかつ上記液晶パネルとの間に隙間空間を保持してその液晶パネルと上記線状光源との間に配備された矩形の光拡散部材とを備え、その光拡散部材が、平板状の光拡散プレートとこの光拡散プレートに重なり合って平板状に保形された状態で上記液晶パネルに対峙した曲り変形可能な弾性を有する光拡散シートとに分かれていて、その光拡散シートの上下の端縁に具備された突片部が、上記枠フレームの相対する２つの辺部のそれぞれに具備されたスリット状の開口に各別に差し込まれることによってその光拡散シートが枠フレームに対して位置決めされている液晶表示装置において、上記枠フレームの相対する２つの辺部のそれぞれの複数箇所に上記開口が具備されていると共に、それら複数箇所に具備された開口のそれぞれ対応して上記光拡散シートの上下の端縁のそれぞれの複数箇所に上記突片部が具備され、それぞれの上記突片部に、その突片部の左右両側に張り出して上記辺部の開口形成箇所でその開口縁部に係合することにより当該突片部が上記開口から抜け出ることを阻止する係合片が追加して一体に連設されていると共に、上記光拡散プレートが、上記開口に差し込まれて上記光拡散シートの上記突片部と重なり合った突片部を備え、上記開口はその左右の側端部がそれらの中間部の口縁に対して傾斜した口縁を有する左右対称形状に形成されていると共に、その開口の中間部の口縁の長さと側端部の傾斜した口縁の長さとを合わせた長さが上記光拡散シートの係合片の横幅よりも短くない長さに定められ、かつ、上記辺部の開口形成箇所の開口縁部に、上記光拡散シートの突片部に対する曲り姿勢で上記開口の左右の側端部に差し込まれた後に初期姿勢に弾性復帰して当該開口縁部に係合した上記係合片を当該開口縁部との係合箇所に位置決めする位置決め突起が備わっている、という構成を採用することも可能である。
【発明の効果】
【００１７】
以上のように、本発明によれば、枠フレームの形状に変更を加えることなく、光拡散シートの突片部に係合片を追加するだけのきわめて簡単な対策を講じるだけで、その突片部が枠フレームの辺部の開口から抜け出て光拡散シートが波打ち状に撓んだり位置ずれしたりするおそれがなくなるので、光拡散シートが撓んだり位置ずれしたりして液晶パネルの輝度むらを補正する作用が損なわれてしまうという事態が起こらないというだけでなく、液晶表示装置の量産性が損なわれるという事態も起こらない。また、ユーザにとっては液晶パネルで綺麗な画像を楽しむことができるようになるという利点がある。
【発明を実施するための最良の形態】
【００１８】
図１は本発明の実施形態に係る液晶表示装置の枠フレーム３を示した全体平面図、図２は同枠フレーム３の概略部分斜視図、図３は枠フレーム３の開口形成箇所の縦断面図、図４は光拡散プレート７１の平面図、図５は光拡散シート７２の平面図、図６は光拡散シート７１及び光拡散プレート７２が装着された枠フレーム３の開口形成箇所の縦断面図、図７は図６のＶＩＩ−ＶＩＩ線に沿う部分の断面図、図８は光拡散シート７１及び光拡散プレート７２が装着された枠フレーム３の開口形成箇所の概略斜視図である。
【００１９】
この実施形態に係る液晶表示装置の基本構成は図１０を参照して説明したところに準じている。そして、図１又は図２に示したように、枠フレーム３は、矩形に形成されていて、その上側と下側の各辺部３１，３１のそれぞれの複数箇所には、左右対称の関係で横方向に長いスリット状の開口３２…が備わっている。また、枠フレーム３には、上下及び左右の各辺部３１…に支持面が備わっていて、この支持面を図３に符号３３で示してある。      
【００２０】
図４のように、光拡散プレート７１の上側の端縁の複数箇所に台形ないし矩形の突片部７９が一体に備わっている。そして、図６又は図８のように、この光拡散プレート７１が上記した支持面３３に重ね合わされた状態で、その突片部７９が枠フレーム３の上側の辺部３１の開口３２に各別に差し込まれている。これに対し、光拡散プレート７１の下側の端縁は、図１又は図２に示した枠フレーム３の下側の辺部に設けられている係止突起３４と上記支持面３３とによって挟まれている。この光拡散プレート７１は、図１０に示した線状光源４の光を液晶パネル１の面に沿う方向に導く導光部材としての役割を果たしていて、平板状に形成された厚手の樹脂プレートで形成されて容易に屈曲しない強度を有している。
【００２１】
図５のように、光拡散シート７２は、上記光拡散プレート７１と共働して光拡散部材７（図６参照）を構成しており、それ自体は、光拡散プレート７１に重なり合うことによってはじめて平板状に保形される程度の曲り変形可能な薄手の樹脂シートによって構成されていて、光拡散プレート７１によって液晶パネル１の面に沿う方向に導かれた光を散乱させることに主に役立っている。そして、この光拡散シート７２の上側の端縁と下側の端縁とのそれぞれの複数箇所に突片部７５が形成されていると共に、それぞれの突片部７５には、その左右両側に張り出した係合片７６が追加して一体に連設されている。そして、図７又は図８のように、この光拡散シート７２が上記光拡散プレート７１に重ね合わされ、その突片部７５が、それに対応する枠フレーム３の辺部３１の開口３２に差し込まれ、かつ、係合片７６が枠フレーム３の辺部３１の開口形成箇所でその開口縁部に係合している。なお、図６には、光拡散シート７２を２枚重ねにして用いた事例を図示しているけれども、図７及び図８には２枚重ねの光拡散シート７２を１層の状態で示してある。
【００２２】
図６のように、枠フレーム３にはベゼル２を介して液晶パネル１が装着されていて、この液晶パネル１と上記した光拡散シート７２との間には隙間空間Ｓが確保されている。
【００２３】
以上のように構成された液晶表示装置によると、光拡散シート７２のそれぞれの突片部７５に追加して一体に連設された係合片７６が、枠フレーム３の辺部３１の開口形成箇所で開口縁部に係合しているために、突片部７５が開口３２から抜け出ることを係合片７６が阻止する。そのため、突片部７５が開口３２から抜け出て光拡散シート７２が波打ち状に撓んだり枠フレーム３に対して位置ずれしたりすることがなくなり、光拡散シート７２による光拡散作用が確実に発揮されて液晶パネル１によって表示される画像品質が安定する。
【００２４】
以上説明した実施形態では、枠フレーム３の辺部３１に形成されているスリット状の開口３２の横幅よりも、光拡散シート７２の突片部７５に追加された係合片７６の横幅が長くなっているので、突片部７５に先立って係合片７６を開口３２に差し込むときに係合片７６が開口３２により幅方向に押されて湾曲するという事態が起こる。そのため、場合によっては、開口３２により幅方向に押された係合片７６に折り目が付き、その係合片７６による抜止め作用が損なわれるおそれがある。
【００２５】
そこで、そのようなおそれを無くする対策を講じた実施形態を図９に示してある。この事例において、開口３２は、その左右の側端部がそれらの中間部の口縁３２ａに対して傾斜した口縁３２ｂ，３２ｂを有する左右対称形状に形成されていて、その開口３２の上記中間部の口縁３２ａの長さと側端部の傾斜した口縁３２ｂ，３２ｂの長さとを合わせた長さが光拡散シート７２の係合片７６の横幅よりも短くない長さ、具体的にはやゝ長い長さに定められている。この構成であれば、光拡散シート７２の突片部７５に先立って係合片７６を開口３２に差し込むときに、係合片７６が折れ目を生じない程度に無理なく曲がった曲り姿勢でその開口３２に差し込まれるようになる。そして、係合片７６に引き続いて突片部７５が開口７５に差し込まれたときに、その係合片７６が初期姿勢に弾性復帰して開口縁部に係合する。したがって、係合片７６による抜止め作用の安定性が向上する。
【００２６】
しかしながら、この実施形態のように、開口３２が上記した形状に形成されていると、係合片７６を開口３２に差し込みやすくなるという利点はあるものの、そのままでは、開口縁部に係合した係合片７６が上記した形状の開口３２から抜け出しやすいという欠点もある。そこで、図９の事例では、枠フレーム３の辺部の開口形成箇所の開口縁部に、初期姿勢に弾性復帰して当該開口縁部に係合した係合片７６を当該開口縁部との係合箇所に位置決めする位置決め突起３５を具備させてある。こうしておけば、係合片７６が開口３２から抜け出るという事態が起こりにくくなるために、係合片７６による抜止め作用の安定性が高まる。
【図面の簡単な説明】
【００２７】
【図１】本発明の実施形態に係る液晶表示装置の枠フレームを示した全体平面図である。
【図２】同枠フレームの概略部分斜視図である。
【図３】枠フレームの開口形成箇所の縦断面図である。
【図４】光拡散プレートの平面図である。
【図５】光拡散シートの平面図である。
【図６】光拡散シート及び光拡散プレートが装着された枠フレームの開口形成箇所の縦断面図である。
【図７】図６のＶＩＩ−ＶＩＩ線に沿う部分の断面図である。
【図８】光拡散シート及び光拡散プレートが装着された枠フレームの開口形成箇所の概略斜視図である。
【図９】他の実施形態に係る光拡散シート及び光拡散プレートが装着された枠フレームの開口形成箇所の概略斜視図である。
【図１０】液晶表示装置の概略的な基本構成を示した分解斜視図である。
【図１１】光拡散シートの平面図である。
【図１２】光拡散シートの突片部が差し込まれた枠フレームの辺部の開口形成箇所を示した横断平面図である。
【図１３】光拡散シート及び光拡散プレートが装着された枠フレームの開口形成箇所の概略斜視図である。
【符号の説明】
【００２８】
１  液晶パネル
２  枠フレーム
４  線状光源
７  光拡散部材
３１  枠フレームの辺部
３２  開口
３２ａ  開口の中間部の口縁
３２ｂ  開口の側端部の口縁
３５  位置決め突起
７１  光拡散プレート
７２  光拡散シート
７５  突片部
７６  係合片
７９  突片部
Ｓ  隙間空間
【図１】
2007057583.tif 000003
【図２】
2007057583.tif 000004
【図３】
2007057583.tif 000005
【図４】
2007057583.tif 000006
【図５】
2007057583.tif 000007
【図６】
2007057583.tif 000008
【図７】
2007057583.tif 000009
【図８】
2007057583.tif 000010
【図９】
2007057583.tif 000011
【図１０】
2007057583.tif 000012
【図１１】
2007057583.tif 000013
【図１２】
2007057583.tif 000014
【図１３】
2007057583.tif 000015